(57)【要約】【課題】印刷機及び印刷方法において、異なる種類の印刷物を同時に印刷可能とすることで作業効率の向上を図ると共に損紙を低減して作業コストの低減を図る。【解決手段】新聞用オフセット輪転印刷機にて、印刷ユニットＵ１〜Ｕ６の各駆動モータ１７〜２２を印刷ユニットコントローラ７１〜７６により駆動制御可能とし、ウェブＷの縦裁断及び搬送経路を変更するターンバー装置Ｄをターンバーコントローラ７７により駆動制御可能とし、折機Ｆにおける折ユニットＦ１，Ｆ２の各駆動モータ４１，４２，４５，４６を折ユニットコントローラ７８，７９により駆動制御可能とし、全てのコントローラ７１〜７９を運転管理制御装置８０により制御可能とし、運転管理システム用操作パネル８１を用いて運転管理制御装置８０に対して操作指令を入力可能としている。【選択図】      図１
2008201049.tif 000002
【特許請求の範囲】
【請求項１】
それぞれ独立したモータにより駆動する複数の印刷ユニットと、それぞれ独立したモータにより駆動する複数の折ユニットを有する折機と、前記複数の印刷ユニットの各モータ及び前記複数の折ユニットの各モータを駆動制御可能な制御装置と、該制御装置に対して操作指令を入力する操作装置とを具えた印刷機において、前記操作装置は、前記複数の印刷ユニットと前記複数の折ユニットにおける組合せ指令及び速度指令を操作指令として前記制御装置に対して入力可能であり、前記制御装置は、前記操作装置から入力された操作指令に基づいて前記複数の印刷ユニットから前記複数の折ユニットへの送出経路を設定すると共に、前記複数の印刷ユニット及び前記複数の折ユニットの駆動速度を設定することを特徴とする印刷機。
【請求項２】
請求項１に記載の印刷機において、前記制御装置は、前記複数の印刷ユニットと前記複数の折ユニットとの組合せ及びその組合せに対する駆動速度を複数の印刷パターンＩＤとして記憶しており、前記操作装置が所定の印刷パターンＩＤを選択することで、その印刷パターンＩＤに基づいて前記複数の印刷ユニット及び前記複数の折ユニットを制御することを特徴とする印刷機。
【請求項３】
請求項１に記載の印刷機において、前記制御装置は、前記複数の印刷ユニットと前記複数の折ユニットとの組合せ及びその組合せに対する駆動速度を複数の印刷パターンＩＤとして記憶する複数の駆動制御部を有し、前記操作装置が所定の印刷パターンＩＤを選択することで、複数の駆動制御部がその印刷パターンＩＤに基づいて前記複数の印刷ユニット及び前記複数の折ユニットを制御することを特徴とする印刷機。
【請求項４】
請求項１から３のいずれか一つに記載の印刷機において、前記複数の印刷ユニットから前記複数の折ユニットへの送出経路を設定するウェブ送出方向切換手段が設けられ、前記制御装置は、前記操作装置の操作指令に基づいて前記ウェブ送出方向切換手段を制御することを特徴とする印刷機。
【請求項５】
請求項１から４のいずれか一つに記載の印刷機において、前記複数の折ユニットは、ドラグローラと三角板と折胴と鋸胴と排紙装置とをそれぞれ有し、前記複数の折ユニットにおける隣り合う前記各ドラグローラが上下にずれて配置されることを特徴とする印刷機。
【請求項６】
請求項１から５のいずれか一つに記載の印刷機において、前記複数の折ユニットは、ドラグローラと三角板と折胴と鋸胴と排紙装置とをそれぞれ有し、前記複数の折ユニットにおける隣り合う前記各三角板の上端部が上下にずれて配置されることを特徴とする印刷機。
【請求項７】
請求項５または６に記載の印刷機において、前記複数の折ユニットにおける隣り合う前記各三角板の全長が異なり、下端部が上下方向にて同位置に配置されることを特徴とする印刷機。
【請求項８】
請求項５から７のいずれか一つに記載の印刷機において、前記複数の折ユニットにおける隣り合う前記各三角板の下端部が、縦折された折帳の幅方向にて同位置に配置されることを特徴とする印刷機。
【請求項９】
それぞれ独立したモータにより駆動する複数の印刷ユニットと、それぞれ独立したモータにより駆動する複数の折ユニットを有する折機とを具えた印刷機において、印刷パターンに応じて前記複数の印刷ユニットと前記複数の折ユニットの組合せを設定し、組み合わされたユニットごとに異なる駆動速度で前記複数の印刷ユニット及び前記複数の折ユニットを制御することを特徴とする印刷方法。
【請求項１０】
請求項９に記載の印刷方法において、複数の印刷ユニットと前記複数の折ユニットとの組合せ及びその組合せに対する駆動速度を複数の印刷パターンＩＤとして設定し、その印刷パターンＩＤに基づいて前記複数の印刷ユニット及び前記複数の折ユニットを制御することを特徴とする印刷方法。
【発明の詳細な説明】
【技術分野】
【０００１】
本発明は、複数の印刷ユニット及び複数の折ユニットを有する印刷機及びその印刷機を用いた印刷方法に関するものである。
【背景技術】
【０００２】
例えば、一般的な新聞用オフセット輪転印刷機は、複数の給紙装置と、複数の印刷ユニットと、ターンバー装置と、折機とから構成されており、各給紙装置から印刷ユニットにウェブが供給されると、各ウェブＷに対して印刷が施され、ターンバー装置で多数のウェブの走行ルートが変更されてから所定の順番に重ね合わされた後、折機にて、ウェブが縦折りされてから所定の長さで横裁断され、横折されることで折帳が形成され、排紙される。
【０００３】
このような新聞用オフセット輪転印刷機は、主駆動モータによりラインシャフトを駆動し、このラインシャフトを通じて各印刷ユニットや折機などを同期させながら駆動するシャフト駆動式のものが一般的となっている。ところが、近年、各印刷ユニットや折機などの作動要素をラインシャフトではなく、それぞれ個別のモータにより互いに同期して駆動するようにした、所謂、シャフトレス駆動式のものが提案されている。
【０００４】
従来のシャフトレス駆動式の輪転印刷機としては、例えば、下記特許文献１に記載されたものがある。この特許文献１に記載された輪転印刷機は、複数の印刷機と、折機と、この印刷機及び折機を駆動する複数のモータと、印刷機、折機、モータを制御する制御装置を設け、制御装置は、複数のドライバとマスタ局を有し、マスタ局が折機の位置情報を基準に仮想マスタ軸データとモータ回転指令信号を生成して各ドライバへ送り、ドライバが各モータの同期運転制御を行うものである。
【０００５】
また、新聞用オフセット輪転印刷機における折機は、２セットの折ユニットを有しており、例えば、下記特許文献２に記載されたものがある。この特許文献２に記載された折機は、ドラグローラに対して、三角板、リードインローラ、ニッピングローラ、鋸胴、折胴折込ローラ、羽根車などからなる折ユニットが並列して設けられている。従って、印刷ユニットから印刷が施されたウェブが、ターンバー装置により所定の順番に重ね合わされた後に折機に導入される。すると、ウェブは、ドラグローラにガイドされながら縦方向に沿って裁断された後、各折ユニットに導入され、各三角板により縦折りされてから各ローラにより折胴に送られ、鋸胴と折胴とに挟持されるときに横裁断され、折ブレードによりウェブが折胴の周面から引き剥がされ、一対の折込ローラにより横折されて折帳が形成され、この折帳が羽根車により順次受取られて排紙される。
【０００６】
ところで、一般に、新聞は、朝刊が４０頁（または３２頁、４８頁）であり、夕刊が２０頁（または１６頁、２４頁）である。そのため、上述した新聞用オフセット輪転印刷機により朝刊（４０頁）を印刷する場合、複数（５台）の印刷ユニットを用いてウェブに対して印刷を行い、ターンバー装置により多数のウェブの走行ルートが変更されてから所定の順番に重ね合わされた後、折機に導入される。そして、複数重ねられたウェブは、ドラグローラにガイドされながら縦裁断された後、一方の折ユニットにまとめて導入され、三角板により縦折りされ、鋸胴により横裁断され、折胴及び折込ローラにより横折されることで、４０頁の折帳を形成することができる。
【０００７】
一方、この新聞用オフセット輪転印刷機により夕刊（２０頁）を印刷する場合、複数（５台）の印刷ユニットを用いてウェブに対して印刷を行い、ターンバー装置により多数のウェブの走行ルートが変更されてから所定の順番に重ね合わされた後、折機に導入される。そして、複数重ねられたウェブは、ドラグローラにガイドされながら縦裁断された後、各折ユニットに導入され、各三角板により縦折りされ、鋸胴により横裁断され、折胴及び折込ローラにより横折されることで、各折ユニットでそれぞれ２０頁の折帳を形成することができ、夕刊を朝刊に比べて半分の時間で印刷することができる。
【０００８】
なお、新聞用オフセット輪転印刷機の折機における複数の三角板を上下または前後左右にずらして配置するものとしては、下記特許文献３、４に記載されたものがある。
【０００９】
【特許文献１】特開２００４−１１４７０５号公報
【特許文献２】特開２００４−０６７３５７号公報
【特許文献３】特開平１０−０２９３８７号公報
【特許文献４】特開平１１−０３５２３０号公報
【発明の開示】
【発明が解決しようとする課題】
【００１０】
ところで、新聞用オフセット輪転印刷機では、朝刊や夕刊以外に土曜版や日曜版、１週間分のテレビ欄、広告などの、所謂、別刷りを印刷している。このような別刷りを新聞用オフセット輪転印刷機により印刷する場合、朝刊や夕刊を印刷していない空き時間を利用して行っている。そのため、オフセット輪転印刷機による別刷りの印刷作業は、印刷準備時間や作業切換時間などを考慮すると、朝刊や夕刊の印刷作業の前後に行われることとなり、作業効率が良くないと共に、損紙も増えて作業コストが増加してしまうという問題がある。
【００１１】
なお、従来の新聞用オフセット輪転印刷機にて、一般に、折機は駆動側と操作側の２つの折ユニットを有している。一方の折ユニットにより夕刊を印刷し、他方の折ユニットにより別刷りを印刷することも考えられるが、印刷用紙等の資材条件等や絵柄の大きさや色の組合せ方等の印刷条件等が異なること等により、夕刊の印刷速度と別刷りの印刷速度を異なる速度で印刷させたい場合があり、２つの折ユニットを同期駆動している従来の折機では、夕刊と別刷りを同時に印刷することは困難である。また、従来の折機では、この２つの折ユニットが隣接配置されているため、夕刊用のウェブと別刷り用のウェブが並行して搬送されるとき、搬送速度の異なるウェブ同士が干渉し、損傷してしまうおそれがある。なお、折機における複数の三角板を上下または前後左右にずらして配置するもの（特許文献３、４）もあるが、折胴が共通であるため、印刷速度の異なる夕刊と別刷りを同時に印刷することはできない。
【００１２】
本発明は上述した課題を解決するものであり、異なる種類の印刷物を同時に印刷可能とすることで作業効率の向上を図ると共に損紙を低減して作業コストの低減を図った印刷機及び印刷方法を提供することを目的とする。
【課題を解決するための手段】
【００１３】
上記の目的を達成するための請求項１の発明の印刷機は、それぞれ独立したモータにより駆動する複数の印刷ユニットと、それぞれ独立したモータにより駆動する複数の折ユニットを有する折機と、前記複数の印刷ユニットの各モータ及び前記複数の折ユニットの各モータを駆動制御可能な制御装置と、該制御装置に対して操作指令を入力する操作装置とを具えた印刷機において、前記操作装置は、前記複数の印刷ユニットと前記複数の折ユニットにおける組合せ指令及び速度指令を操作指令として前記制御装置に対して入力可能であり、前記制御装置は、前記操作装置から入力された操作指令に基づいて前記複数の印刷ユニットから前記複数の折ユニットへの送出経路を設定すると共に、前記複数の印刷ユニット及び前記複数の折ユニットの駆動速度を設定することを特徴とするものである。
【００１４】
請求項２の発明の印刷機では、前記制御装置は、前記複数の印刷ユニットと前記複数の折ユニットとの組合せ及びその組合せに対する駆動速度を複数の印刷パターンＩＤとして記憶しており、前記操作装置が所定の印刷パターンＩＤを選択することで、その印刷パターンＩＤに基づいて前記複数の印刷ユニット及び前記複数の折ユニットを制御することを特徴としている。
【００１５】
請求項３の発明の印刷機では、前記制御装置は、前記複数の印刷ユニットと前記複数の折ユニットとの組合せ及びその組合せに対する駆動速度を複数の印刷パターンＩＤとして記憶する複数の駆動制御部を有し、前記操作装置が所定の印刷パターンＩＤを選択することで、複数の駆動制御部がその印刷パターンＩＤに基づいて前記複数の印刷ユニット及び前記複数の折ユニットを制御することを特徴としている。
【００１６】
請求項４の発明の印刷機では、前記複数の印刷ユニットから前記複数の折ユニットへの送出経路を設定するウェブ送出方向切換手段が設けられ、前記制御装置は、前記操作装置の操作指令に基づいて前記ウェブ送出方向切換手段を制御することを特徴としている。
【００１７】
請求項５の発明の印刷機では、前記複数の折ユニットは、ドラグローラと三角板と折胴と鋸胴と排紙装置とをそれぞれ有し、前記複数の折ユニットにおける隣り合う前記各ドラグローラが上下にずれて配置されることを特徴としている。
【００１８】
請求項６の発明の印刷機では、前記複数の折ユニットは、ドラグローラと三角板と折胴と鋸胴と排紙装置とをそれぞれ有し、前記複数の折ユニットにおける隣り合う前記各三角板の上端部が上下にずれて配置されることを特徴としている。
【００１９】
請求項７の発明の印刷機では、前記複数の折ユニットにおける隣り合う前記各三角板の全長が異なり、下端部が上下方向にて同位置に配置されることを特徴としている。
【００２０】
請求項８の発明の印刷機では、前記複数の折ユニットにおける隣り合う前記各三角板の下端部が、縦折された折帳の幅方向にて同位置に配置されることを特徴としている。
【００２１】
また、請求項９の発明の印刷方法は、それぞれ独立したモータにより駆動する複数の印刷ユニットと、それぞれ独立したモータにより駆動する複数の折ユニットを有する折機とを具えた印刷機において、印刷パターンに応じて前記複数の印刷ユニットと前記複数の折ユニットの組合せを設定し、組み合わされたユニットごとに異なる駆動速度で前記複数の印刷ユニット及び前記複数の折ユニットを制御することを特徴とするものである。
【００２２】
請求項１０の発明の輪転印刷方法では、複数の印刷ユニットと前記複数の折ユニットとの組合せ及びその組合せに対する駆動速度を複数の印刷パターンＩＤとして設定し、その印刷パターンＩＤに基づいて前記複数の印刷ユニット及び前記複数の折ユニットを制御することを特徴としている。
【発明の効果】
【００２３】
請求項１の発明の印刷機によれば、独立したモータにより駆動する複数の印刷ユニットと、独立したモータにより駆動する複数の折ユニットを有する折機と、印刷ユニット及び折ユニットの各モータを駆動制御可能な制御装置と、制御装置に対して操作指令を入力する操作装置とを設けて構成し、操作装置は、複数の印刷ユニットと複数の折ユニットにおける組合せ指令及び速度指令を操作指令として制御装置に対して入力可能とし、制御装置は、操作装置から入力された操作指令に基づいて複数の印刷ユニットから複数の折ユニットへの送出経路を設定可能とすると共に、複数の印刷ユニット及び複数の折ユニットの駆動速度を設定可能としている。
【００２４】
従って、操作装置が印刷ユニットと折ユニットとの組合せ指令及び組み合わされた同士の速度指令を操作指令として制御装置に対して入力すると、制御装置は、その操作指令に基づいて各印刷ユニットから各折ユニットへの送出経路を設定すると共に、組み合わされたユニットごとの駆動速度を設定することとなり、組み合わされた各ユニットごとに独立駆動となるため、各ユニットにて、異なる種類の印刷物を異なる印刷速度で同時に印刷することができ、その結果、作業効率を向上することができると共に、印刷準備作業時間を短縮して損紙を低減することで作業コストを低減することができる。
【００２５】
請求項２の発明の印刷機によれば、制御装置は、複数の印刷ユニットと複数の折ユニットとの組合せ及びその組合せに対する駆動速度を複数の印刷パターンＩＤとして記憶し、操作装置が所定の印刷パターンＩＤを選択することで、印刷パターンＩＤに基づいて複数の印刷ユニット及び複数の折ユニットを制御するので、操作装置が所定の印刷パターンＩＤを選択するだけで、印刷パターンＩＤに基づいて印刷ユニットと折ユニットとの組合せ、印刷ユニットから折ユニットへの送出経路、組み合わされたユニットごとの駆動速度が自動的に設定されることとなり、操作性を向上することができる。
【００２６】
請求項３の発明の印刷機によれば、制御装置は、複数の印刷ユニットと複数の折ユニットとの組合せ及びその組合せに対する駆動速度を複数の印刷パターンＩＤとして記憶する複数の駆動制御部を有し、操作装置が所定の印刷パターンＩＤを選択することで、複数の駆動制御部がその印刷パターンＩＤに基づいて複数の印刷ユニット及び複数の折ユニットを制御するので、操作装置が所定の印刷パターンＩＤを選択するだけで、各駆動制御部が印刷パターンＩＤに基づいて印刷ユニットと折ユニットとの組合せ、印刷ユニットから折ユニットへの送出経路、組み合わされたユニットごとの駆動速度が自動的に設定されることとなり、操作性を向上することができる。
【００２７】
請求項４の発明の印刷機によれば、複数の印刷ユニットから複数の折ユニットへの送出経路を設定するウェブ送出方向切換手段を設け、制御装置は、操作装置の操作指令に基づいてウェブ送出方向切換手段を制御するので、組み合わされた各ユニットにおける印刷ユニットから折ユニットへの送出経路が自動的に設定されることとなり、操作性を向上することができる。
【００２８】
請求項５の発明の印刷機によれば、複数の折ユニットは、ドラグローラと三角板と折胴と鋸胴と排紙装置とをそれぞれ有し、複数の折ユニットにおける隣り合う各ドラグローラを上下にずれて配置するので、複数の折ユニットに対して搬送速度の異なる種類の印刷物が導入されても、各折ユニットにおける隣り合う各ドラグローラが上下にずれているため、隣り合って搬送される印刷物同士の干渉が抑制され、印刷物の損傷を防止することができる。
【００２９】
請求項６の発明の印刷機によれば、複数の折ユニットは、ドラグローラと三角板と折胴と鋸胴と排紙装置とをそれぞれ有し、複数の折ユニットにおける隣り合う各三角板の上端部を上下にずれて配置するので、複数の折ユニットに対して搬送速度の異なる種類の印刷物が導入されても、各折ユニットにおける隣り合う各三角板が上下にずれているため、隣り合って搬送される印刷物同士の干渉が抑制され、印刷物の損傷を防止することができる。
【００３０】
請求項７の発明の印刷機によれば、複数の折ユニットにおける隣り合う各三角板の全長を異ならせ、下端部を上下方向にて同位置に配置するので、複数の折ユニットに対して搬送速度の異なる種類の印刷物が導入されても、各折ユニットにおける隣り合う各三角板が上下にずれているため、隣り合って搬送される印刷物同士の干渉が抑制され、印刷物の損傷を防止することができ、また、各三角板の下端部が上下方向にて同位置にあるため、作業フロアが同じ高さとなって設計コスト及び製造コストを低減することができると共に、作業性を向上することができる。
【００３１】
請求項８の発明の印刷機によれば、複数の折ユニットにおける隣り合う各三角板の下端部を縦折された折帳の幅方向にて同位置に配置するので、隣り合う各三角板で縦折された折帳は、幅方向にてほぼ同位置に送出されることとなり、複数の折ユニットにおける各折胴、各鋸胴、各排紙装置の配置を簡素化することができる。
【００３２】
また、請求項９の発明の印刷方法は、それぞれ独立したモータにより駆動する複数の印刷ユニットと、それぞれ独立したモータにより駆動する複数の折ユニットを有する折機とを具えた印刷機において、印刷パターンに応じて前記複数の印刷ユニットと前記複数の折ユニットの組合せを設定し、組み合わされたユニットごとに異なる駆動速度で複数の印刷ユニット及び複数の折ユニットを制御するようにしたので、組み合わされた各ユニットごとに独立駆動となるため、各ユニットにて、異なる種類の印刷物を異なる印刷速度で同時に印刷することができ、その結果、作業効率を向上することができると共に、印刷準備作業時間を短縮して損紙を低減することで作業コストを低減することができる。
【００３３】
請求項１０の発明の輪転印刷方法によれば、複数の印刷ユニットと複数の折ユニットとの組合せ及びその組合せに対する駆動速度を複数の印刷パターンＩＤとして設定し、その印刷パターンＩＤに基づいて複数の印刷ユニット及び複数の折ユニットを制御するので、印刷パターンＩＤを設定するだけで、この印刷パターンＩＤに基づいて印刷ユニットと折ユニットとの組合せ、印刷ユニットから折ユニットへの送出経路、組み合わされたユニットごとの駆動速度が自動的に設定されることとなり、操作性を向上することができる。
【発明を実施するための最良の形態】
【００３４】
以下に添付図面を参照して、本発明に係る印刷機及び印刷機の好適な実施例を詳細に説明する。なお、この実施例により本発明が限定されるものではない。
【実施例１】
【００３５】
図１は、本発明の実施例１に係る印刷機を表す概略構成図、図２は、実施例１の印刷機における折機の概略構成図、図３は、実施例１の印刷機における折機の折ユニットを表す正面図、図４は、実施例１の印刷機における折機の折ユニットを表す側面図、図５は、実施例１の印刷機における折機の折ユニットを表す斜視図、図６は、実施例１の印刷機による朝刊及び別刷りの印刷工程を表す概略図、図７は、実施例１の印刷機による夕刊及び別刷りの印刷工程を表す概略図、図８は、実施例１の印刷機による朝刊と夕刊と別刷りの印刷作業を表すタイムチャートである。
【００３６】
実施例１の印刷機は、図１に示すように、新聞用オフセット輪転印刷機であって、複数（本実施例では、６台）の給紙装置Ｒ１〜Ｒ６と、複数（本実施例では、６台）の印刷ユニットＵ１〜Ｕ６と、ターンバー装置Ｄと、複数（本実施例では、２個）の折ユニットＦ１，Ｆ２を有する折機Ｆとから構成されている。なお、図１にて、２つの折ユニットＦ１，Ｆ２を左右に並べて記載したが、実際には、紙面に直行する方向に並んで配置されている。そして、本実施例の新聞用オフセット輪転印刷機では、図示しない建屋の１階に給紙装置Ｒ１〜Ｒ６が設置され、２階及び３階に印刷ユニットＵ１〜Ｕ６が設置され、３階から５階にターンバー装置Ｄが設置され、また、２階、３階に折機Ｆが設置されている。ここで、折機Ｆの各パーツと建屋との関係について図２、図３を用いて説明すると、図示しない建屋の２階には排紙コンベア６３ａ，６３ｂ、羽根車６２ａ，６２ｂ、折込ローラ６１ａ，６１ｂ、鋸胴６０ａ，６０ｂ、ニッピングローラ５８ａ，５８ｂが配置されるとともに、図示しない建屋の３階にはリードインローラ５５ａ，５５ｂ、三角板５４ａ，５４ｂ、ドラグローラ５２ａ，５２ｂ，５３ａ，５３ｂが配置されている。なお、図３のフロア面Ｇは３階のフロア面である。
【００３７】
上述した各給紙装置Ｒ１〜Ｒ６には、それぞれウェブＷがロール状に巻かれた３つの巻取紙を保持する保持アーム１１〜１６が設けられ、この保持アーム１１〜１６を回動することで、巻取紙を給紙位置に回動することができる。また、この各給紙装置Ｒ１〜Ｒ６には、図示しない紙継装置が設けられており、給紙位置で繰り出されている巻取紙が残り少なくなると、この紙継装置により給紙位置にある巻取紙Ｒに対して、待機位置にある巻取紙を紙継することができる。
【００３８】
印刷ユニットＵ１〜Ｕ６にて、印刷ユニットＵ１，Ｕ２，Ｕ６は、両面４色印刷を行う多色刷印刷ユニットであり、印刷ユニットＵ３〜Ｕ５は、両面２色印刷を行う２色刷印刷ユニットとなっている。そして、この印刷ユニットＵ１〜Ｕ６は、各種のインキロールを駆動する複数の駆動モータ１７〜２２が設けられ、複数のドライバ２３〜２８により駆動制御可能となっている。また、給紙装置Ｒ１〜Ｒ６と印刷ユニットＵ１〜Ｕ６との間には、インフィード装置Ｉ１〜Ｉ６が設けられており、インフィードロールを駆動する複数の駆動モータ２９〜３４が設けられ、複数のドライバ３５〜４０により駆動制御可能となっている。従って、給紙装置Ｒ１〜Ｒ６からインフィード装置Ｉ１〜Ｉ６により印刷ユニットＵ１〜Ｕ６にウェブＷが供給されると、各印刷ユニットＵ１〜Ｕ６では、各ウェブＷに対して所定の印刷を行うことができる。
【００３９】
なお、本実施例では、印刷ユニットＵ１〜Ｕ６を、多色刷印刷ユニットＵ１，Ｕ２，Ｕ６と２色刷印刷ユニットＵ３〜Ｕ５により構成したが、この構成に限定されるものではない。例えば、両面単色印刷を行う両面単色刷ユニット、一面４色または２色印刷を行う多色刷印刷ユニットなど印刷物に応じて適宜各種ユニットを組み合わせて使用すればよい。
【００４０】
ターンバー装置（ウェブ送出方向切換手段）Ｄは、ウェブＷを縦（ウェブＷの長手方向、ウェブＷの搬送方向）に沿ってその幅方向の中央部で裁断する複数のカッタと、縦裁断したウェブＷの搬送経路を設定する多数のターンバーが設けられている。従って、各印刷ユニットＵ１〜Ｕ６で印刷が施された各ウェブＷは、ターンバー装置Ｄにて、カッタにより縦裁断されると共に、ターンバーにより搬送経路が変更され、所定の順番に重ね合わせることができる。
【００４１】
折機Ｆは、折ユニットＦ１，Ｆ２を有している。そして、この各折ユニットＦ１，Ｆ２は、各種の搬送ローラ（ドラグローラ）を駆動する複数の駆動モータ４１，４２が設けられ、複数のドライバ４３，４４により駆動制御可能となっている。また、各折ユニットＦ１，Ｆ２は、各種の胴を駆動する複数の駆動モータ４５，４６が設けられ、複数のドライバ４７，４８により駆動制御可能となっている。従って、ターンバー装置Ｄから複数のウェブＷが重ねられて導入されると、各折ユニットＦ１，Ｆ２にて、ウェブＷを縦折りし、所定の長さで横裁断し、横折りして所望の折帳を形成することができ、この折帳を排紙することができる。
【００４２】
ここで、折ユニットＦ１，Ｆ２を有する折機Ｆについて詳細に説明する。折機Ｆにおいて、図２乃至図５に示すように、各折ユニットＦ１，Ｆ２は、ほぼ左右対称に配置されている。即ち、最上部には、上述したターンバー装置Ｄで所定の順番に重ねられたウェブＷを、複数のガイドローラ５１を介して下方に搬入する上下一対のドラグローラ５２ａ，５２ｂ，５３ａ，５３ｂが設けられると共に、三角板５４ａ，５４ｂが設けられている。そして、この三角板５４ａ，５４ｂの下方には、リードインローラ５５ａ，５５ｂ、ニッピングローラ５６ａ，５６ｂ、ガイドローラ５７ａ，５７ｂ、ニッピングローラ５８ａ，５８ｂが設けられている。ここで、三角板５４ａ，５４ｂ上に集められたウェブＷを走行方向に対して平行に折るための装置を三角板部という。三角板部は、ドラグローラ５２ａ，５２ｂ，５３ａ，５３ｂと、三角板５４ａ，５４ｂと、リードインローラ５５ａ，５５ｂと、ニッピングローラ５６ａ，５６ａ，５６ｂ，５６ｂと、三角板の直前のドラグローラ５２ａ，５２ｂと対向して設けられている図示しない紙押えローラ等から構成されている。三角板部において、印刷されたウェブＷは三角板直前のドラグローラ５３ａ，５３ｂと図示しない紙押えローラにより三角板５４ａ，５４ｂへと搬送され、この三角板５４ａ，５４ｂとリードインローラ５５ａ，５５ｂによってウェブ走行方向に縦折りされ、且つ、ニッピングローラ５８ａ，５８ｂによってウェブＷは更に折胴、鋸胴の方へ搬送されていく。
【００４３】
ニッピングローラ５８ａ，５８ｂの下方には、折胴５９ａ，５９ｂと、縦折りされたウェブＷを横裁断する鋸胴６０ａ，６０ｂが対向して配設されている。そして、折胴５９ａ，５９ｂの下方には、一対の折込ローラ６１ａ，６１ｂが折胴５９ａ，５９ｂと同期回転可能に設けられており、図示しない折ブレードにより折胴５９ａ，５９ｂの周面から突出したウェブＷを挟持することで、折帳Ｓを形成することができる。
【００４４】
折込ローラ６１ａ，６１ｂの下方には、羽根車６２ａ，６２ｂが設けられると共に、この羽根車は６２ａ，６２ｂの下方には、排紙コンベア６３ａ，６３ｂが設けられている。羽根車は６２ａ，６２ｂは、周方向に複数の羽根を有しており、折込ローラ６１ａ，６１ｂに同期して回転することで、一対の折込ローラ６１ａ，６１ｂにより形成された折帳Ｓを各羽根により順次受取って排紙コンベア６３ａ，６３ｂ上に受け渡すことができる。
【００４５】
また、本実施例の折機Ｆでは、上述したように、２つの折ユニットＦ１，Ｆ２がほぼ左右対称に載置されるものの、隣り合うドラグローラ５２ａ，５３ａとドラグローラ５２ｂ，５３ｂとが上下にずれて配置されると共に、隣り合う三角板５４ａ，５４ｂが上下にずれて配置されている。この場合、各三角板５４ａ，５４ｂは、その下端部が縦折された折帳Ｓの幅方向（図４にて、左右方向、換言するとフロア面Ｇと平行方向）にて同位置に配置されている。
【００４６】
具体的に説明すると、図３及び図４に示すように、折ユニットＦ１にて、ドラグローラ５２ａ，５３ａの上面は、フロア面Ｇから所定の高さ位置ｈ1a，ｈ2aの高さに配置される一方、ユニットＦ２にて、ドラグローラ５２ｂ，５３ｂの上面は、フロア面Ｇから所定の高さ位置ｈ1b，ｈ2bの高さに配置されており、折ユニットＦ１の高さｈ1a，ｈ2aに対して、ユニットＦ２の高さ位置ｈ1b，ｈ2bが所定の高さｈ1，ｈ2だけ高く配置されている。この場合、ドラグローラ５２ａ，５３ａとドラグローラ５２ｂ，５３ｂの径はほぼ同様に構成されることから、ドラグローラ５２ａ，５３ａによるウェブＷの搬送位置とドラグローラ５２ｂ，５３ｂによるウェブＷの搬送位置とが上下にずれ、折ユニットＦ１，Ｆ２にて搬送されるウェブＷが干渉しないようになっている。なお、所定の高さｈ1，ｈ2は、ｈ1＝ｈ2である。
【００４７】
そして、各折ユニットＦ１，Ｆ２にて、各ドラグローラ５３ａ，５３ｂに対して各三角板５４ａ，５４ｂが配置されることから、この各三角板５４ａ，５４ｂも所定の高さｈ1，ｈ2だけ高さ方向にずれて配置されている。そのため、折ユニットＦ２では、フロア面Ｇに高さｈ1，ｈ2の補助台６４が設けられている。この場合、三角板５４ａ，５４ｂの全長はほぼ同様に構成されることから、三角板５４ａ，５４ｂの上端部の位置が上下にずれることで、三角板５４ａによるウェブＷの搬送位置と三角板５４ｂによるウェブＷの搬送位置とが上下にずれ、折ユニットＦ１，Ｆ２にて搬送されるウェブＷが干渉しないようになっている。
【００４８】
そして、２つの折ユニットＦ１，Ｆ２のうち、リードインローラ５５ａ，５５ｂ、三角板５４ａ，５４ｂ、ドラグローラ５２ａ，５３ａ，５２ｂ，５３ｂは建屋の３階に設置され、且つ、３階のフロア面Ｇに対して、一方の折ユニットＦ１におけるドラグローラ５２ａ，５３ａ、三角板５４ａ、リードインローラ５５ａと、他方の折ユニットＦ２におけるドラグローラ５２ｂ，５３ｂ、三角板５４ｂ、リードインローラ５５ｂとが上下にずれて配置されている。このようにドラグローラ５２ａ，５３ａ，５２ｂ，５３ｂ、三角板５４ａ，５４ｂを上下にずらして配置することにより隣り合う三角板部を並べて配置することができ省スペース化できる。また、隣り合う三角板部で別々の速度でウェブＷを走行させても、このウェブＷが互いに干渉することもない。このように隣り合う三角板部を同フロアに設置することが好ましい。隣り合う三角板部を同フロアに設置することにより省スペース化を図りつつ、従来と同様に、紙通しや三角板の調整等の作業効率を維持することができる。なお、三角板部全体を同一フロアに配置しても良いが、三角板部のうち少なくともリードインローラ５５ａ，５５ｂと、三角板５４ａ，５４ｂと、三角板５４ａ，５４ｂの直前のドラグローラ５２ａ，５２ｂとを同一フロアに配置することが好ましい。
【００４９】
ところで、実施例１の新聞用オフセット輪転印刷機では、上述したように、印刷ユニットＵ１〜Ｕ６にて、各駆動モータ１７〜２２がドライバ２３〜２８により駆動制御可能であり、インフィード装置Ｉ１〜Ｉ６にて、各駆動モータ２９〜３４がドライバ３５〜４０により駆動制御可能であり、ターンバー装置Ｄにて、ウェブＷの縦裁断及び搬送経路の変更が可能であり、折機Ｆの折ユニットＦ１，Ｆ２にて、各駆動モータ４１，４２がドライバ４３，４４により駆動制御可能であると共に、各駆動モータ４５，４６がドライバ４７，４８により駆動制御可能となっている。
【００５０】
そして、印刷ユニットＵ１〜Ｕ６及びインフィード装置Ｉ１〜Ｉ６の各ドライバ２３〜２８，３５〜４０は、印刷ユニットコントローラ７１〜７６により駆動制御可能であり、ターンバー装置Ｄは、ターンバーコントローラ７７により駆動制御可能であり、折機Ｆにおける折ユニットＦ１，Ｆ２のドライバ４３，４４，４７，４８は、折ユニットコントローラ７８，７９により駆動制御可能となっている。そして、全てのコントローラ７１〜７９は、運転管理制御装置８０により制御可能であり、オペレータは、運転管理システム用操作パネル（操作装置）８１を用いて運転管理制御装置８０に対して操作指令を入力することで、新聞用オフセット輪転印刷機による印刷作業を制御可能となっている。
【００５１】
即ち、オペレータは、運転管理システム用操作パネル８１を用いて、各印刷ユニットＵ１〜Ｕ６と各折ユニットＦ１，Ｆ２における組合せ、印刷速度（駆動速度）を操作指令として運転管理制御装置８０に対して入力可能である。運転管理制御装置８０は、この操作指令に基づいて、印刷ユニットＵ１〜Ｕ６と折ユニットＦ１，Ｆ２との組合せ、つまり、ターンバー装置Ｄによる各印刷ユニットＵ１〜Ｕ６から各折ユニットＦ１，Ｆ２への送出経路を設定すると共に、印刷ユニットＵ１〜Ｕ６、インフィード装置Ｉ１〜Ｉ６、折ユニットＦ１，Ｆ２の駆動速度を設定する。
【００５２】
この場合、運転管理制御装置８０は、各印刷ユニットＵ１〜Ｕ６と各折ユニットＦ１，Ｆ２における組合せ、その組合せに対する駆動速度Ｖ１，Ｖ２を複数の印刷パターンＩＤとして記憶しており、オペレータは、運転管理システム用操作パネル８１を用いて所定の印刷パターンＩＤを選択することで、その印刷パターンＩＤに基づいて印刷ユニットＵ１〜Ｕ６、インフィード装置Ｉ１〜Ｉ６、ターンバー装置Ｄ、折ユニットＦ１，Ｆ２を自動的に制御することができる。
【００５３】
具体的には、例えば、印刷パターンＩＤ１００として（Ｕ１＋Ｕ２＋Ｕ３＋Ｕ４＋Ｕ５：Ｆ１：Ｖ１）を記憶することで、この印刷パターンＩＤ１００を朝刊印刷用パターンＩＤとして使用することができる。また、印刷パターンＩＤ１０１として（Ｕ２＋Ｕ３＋Ｕ４：Ｆ１：Ｖ１）、または、印刷パターンＩＤ１０２として（Ｕ２＋Ｕ３＋Ｕ５：Ｆ１：Ｖ１）を記憶することで、この印刷パターンＩＤ１０１、ＩＤ１０２を夕刊印刷用パターンＩＤとして使用することができる。更に、印刷パターンＩＤ１０３として（Ｕ６：Ｆ２：Ｖ２）、または、印刷パターンＩＤ１０４として（Ｕ６：Ｆ２：Ｖ２）を記憶することで、この印刷パターンＩＤ１０３、ＩＤ１０４を別刷り印刷用パターンＩＤとして使用することができる。
【００５４】
ここで、実施例１の新聞用オフセット輪転印刷機における印刷制御について具体的に説明する。
【００５５】
まず、実施例１の新聞用オフセット輪転印刷機を用いて４０頁の朝刊を印刷する場合、オペレータは、図１に示すように、運転管理システム用操作パネル８１を用いて、印刷パターンＩＤ１００（Ｕ１＋Ｕ２＋Ｕ３＋Ｕ４＋Ｕ５：Ｆ１：Ｖ１）を選択して入力する。この印刷パターンＩＤ１００とは、印刷ユニットＵ１，Ｕ２，Ｕ３，Ｕ４，Ｕ５と折ユニットＦ１を組合せ、印刷速度Ｖ１で印刷を行う指令を出力するものである。すると、運転管理制御装置８０は、この印刷パターンＩＤ１００を制御リンクに出力すると、該当するコントローラ、つまり、印刷ユニットコントローラ７１，７２，７３，７４，７５とターンバーコントローラ７７と折ユニットコントローラ７８がこの印刷パターンＩＤ１００を取り込む。そして、印刷ユニットコントローラ７１，７２，７３，７４，７５は、印刷ユニットＵ１，Ｕ２，Ｕ３，Ｕ４，Ｕ５及びインフィード装置Ｉ１，Ｉ２，Ｉ３，Ｉ４，Ｉ５の駆動速度をＶ１に制御すると共に、折ユニットコントローラ７８は、折ユニットＦ１の駆動速度をＶ１に制御し、ターンバーコントローラ７７は、印刷ユニットＵ１，Ｕ２，Ｕ３，Ｕ４，Ｕ５から送出されたウェブＷの搬送経路を折ユニットＦ１に変更する。
【００５６】
従って、図１及び図６に示すように、各給紙装置Ｒ１〜Ｒ５から各印刷ユニットＵ１〜Ｕ５にウェブＷが供給されると、各印刷ユニットＵ１〜Ｕ５では、各ウェブＷに対して４色刷や２色刷が行われる。各印刷ユニットＵ１〜Ｕ５で印刷が施された多数のウェブＷは、ターンバー装置Ｄにて、縦裁断が行われた後に、搬送経路が変更されると共に所定の順番に重ね合わせられる。そして、折機Ｆにおける一方の折ユニットＦ１では、図２に示すように、ガイドローラ５１から導入されたウェブＷは、ドラグローラ５２ａ，５３ａでガイドされ、三角板５４ａにより縦折りが施された後、リードインローラ５５ａ、ニッピングローラ５６ａ、ガイドローラ５７ａ、ニッピングローラ５８ａにより折胴５９ａに送られる。
【００５７】
縦折りされたウェブＷが折胴５９ａに至ると、所定の位置で、鋸胴６０ａにより横裁断され、折胴５９ａの周面から折ブレードが突出することで、ウェブＷを折胴５９ａから一対の折込ローラ６１ａに引き渡し、この折込ローラ６１ａに挟持されることで折帳Ｓが形成される。そして、この折込ローラ６１ａにより形成された折帳Ｓは、羽根車６２ａの各羽根により順次受取られ、排紙コンベア６３ａ上に受け渡す。このようにして４０頁の朝刊を印刷することができる。
【００５８】
次に、実施例１の新聞用オフセット輪転印刷機を用いて２０頁の夕刊を印刷する場合、オペレータは、図１に示すように、運転管理システム用操作パネル８１を用いて、印刷パターンＩＤ１０１（Ｕ２＋Ｕ３＋Ｕ４：Ｆ１：Ｖ１）を選択して入力する。この印刷パターンＩＤ１０１とは、印刷ユニットＵ２，Ｕ３，Ｕ４と折ユニットＦ１を組合せ、印刷速度Ｖ１で印刷を行う指令を出力するものである。すると、運転管理制御装置８０は、この印刷パターンＩＤ１０１を制御リンクに出力すると、該当するコントローラ、つまり、印刷ユニットコントローラ７２，７３，７４とターンバーコントローラ７７と折ユニットコントローラ７８がこの印刷パターンＩＤ１０１を取り込む。そして、印刷ユニットコントローラ７２，７３，７４は、印刷ユニットＵ２，Ｕ３，Ｕ４及びインフィード装置Ｉ２，Ｉ３，Ｉ４の駆動速度をＶＩに制御すると共に、折ユニットコントローラ７８は、折ユニットＦ１の駆動速度をＶＩに制御し、ターンバーコントローラ７７は、印刷ユニットＵ２，Ｕ３，Ｕ４から送出されたウェブＷの搬送経路を折ユニットＦ１に変更する。
【００５９】
従って、図１及び図７に示すように、各給紙装置Ｒ２〜Ｒ４から各印刷ユニットＵ２〜Ｕ４にウェブＷが供給されると、各印刷ユニットＵ２〜Ｕ４では、各ウェブＷに対して４色刷や２色刷が行われる。各印刷ユニットＵ２〜Ｕ４で印刷が施された多数のウェブＷは、ターンバー装置Ｄにて、縦裁断が行われた後に、搬送経路が変更されると共に所定の順番に重ね合わせられる。そして、折機Ｆにおける一方の折ユニットＦ１では、図２に示すように、ガイドローラ５１から導入されたウェブＷは、ドラグローラ５２ａ，５３ａでガイドされ、三角板５４ａにより縦折りが施された後、リードインローラ５５ａ、ニッピングローラ５６ａ、ガイドローラ５７ａ、ニッピングローラ５８ａにより折胴５９ａに送られる。
【００６０】
縦折りされたウェブＷが折胴５９ａに至ると、所定の位置で、鋸胴６０ａにより横裁断され、折胴５９ａの周面から折ブレードが突出することで、ウェブＷを折胴５９ａから一対の折込ローラ６１ａに引き渡し、この折込ローラ６１ａに挟持されることで折帳Ｓが形成される。そして、この折込ローラ６１ａにより形成された折帳Ｓは、羽根車６２ａの各羽根により順次受取られ、排紙コンベア６３ａ上に受け渡す。このようにして２０頁の夕刊を印刷することができる。
【００６１】
更に、実施例１の新聞用オフセット輪転印刷機を用いて２０頁の夕刊と、８頁の別刷りを同時に印刷する場合、オペレータは、図１に示すように、運転管理システム用操作パネル８１を用いて、印刷パターンＩＤ１０１（Ｕ２＋Ｕ３＋Ｕ４：Ｆ１：Ｖ１）を選択して入力すると共に、印刷パターンＩＤ１０３（Ｕ６：Ｆ２：Ｖ２）を選択して入力する。この印刷パターンＩＤ１０３とは、印刷ユニットＵ６と折ユニットＦ２を組合せ、印刷速度Ｖ２で印刷を行う指令を出力するものである。すると、運転管理制御装置８０は、この印刷パターンＩＤ１０１、ＩＤ１０３を制御リンクに出力すると、該当するコントローラ、つまり、印刷ユニットコントローラ７２，７３，７４とターンバーコントローラ７７と折ユニットコントローラ７８がこの印刷パターンＩＤ１０１を取り込むと共に、印刷ユニットコントローラ７６とターンバーコントローラ７７と折ユニットコントローラ７９がこの印刷パターンＩＤ１０３を取り込む。そして、印刷ユニットコントローラ７２，７３，７４は、印刷ユニットＵ２，Ｕ３，Ｕ４及びインフィード装置Ｉ２，Ｉ３，Ｉ４の駆動速度をＶ１に制御し、折ユニットコントローラ７８は、折ユニットＦ１の駆動速度をＶ１に制御する。
【００６２】
また、印刷ユニットコントローラ７６は、印刷ユニットＵ６及びインフィード装置Ｉ６の駆動速度をＶ２に制御し、折ユニットコントローラ７９は、折ユニットＦ２の駆動速度をＶ２に制御する。そして、ターンバーコントローラ７７は、印刷ユニットＵ２，Ｕ３，Ｕ４から送出されたウェブＷの搬送経路を折ユニットＦ１に変更すると共に、印刷ユニットＵ６から送出されたウェブＷの搬送経路を折ユニットＦ２に変更する。
【００６３】
従って、図１及び図７に示すように、各給紙装置Ｒ２〜Ｒ４から各印刷ユニットＵ２〜Ｕ４にウェブＷが供給されると、各印刷ユニットＵ２〜Ｕ４では、各ウェブＷに対して４色刷や２色刷が行われる。また、給紙装置Ｒ６から印刷ユニットＵ６にウェブＷが供給されると、印刷ユニットＵ６では、ウェブＷに対して４色刷が行われる。各印刷ユニットＵ２〜Ｕ４，Ｕ６で印刷が施された多数のウェブＷは、ターンバー装置Ｄにて、縦裁断が行われた後に、搬送経路が変更されると共に所定の順番に重ね合わせられる。そして、図２に示すように、印刷ユニットＵ２〜Ｕ４で印刷が施されたウェブＷは、折機Ｆにおける一方の折ユニットＦ１に導入され、ドラグローラ５２ａ，５３ａでガイドされ、三角板５４ａにより縦折りが施された後、リードインローラ５５ａ、ニッピングローラ５６ａ、ガイドローラ５７ａ、ニッピングローラ５８ａにより折胴５９ａに送られる。一方、印刷ユニットＵ６で印刷が施された多数のウェブＷは、折機Ｆにおける他方の折ユニットＦ２に導入され、ドラグローラ５２ｂ，５３ｂでガイドされ、三角板５４ｂにより縦折りが施された後、リードインローラ５５ｂ、ニッピングローラ５６ｂ、ガイドローラ５７ｂ、ニッピングローラ５８ｂにより折胴５９ｂａに送られる。
【００６４】
このとき、本実施例では、折機Ｆの各折ユニットＦ１，Ｆ２にて、隣り合うドラグローラ５２ａ，５３ａとドラグローラ５２ｂ，５３ｂが上下にずれて配置されると共に、隣り合う三角板５４ａ，５４ｂが上下にずれて配置されている。従って、印刷ユニットＵ２〜Ｕ４で印刷が施されて折ユニットＦ１に導入されるウェブＷと、印刷ユニットＵ６で印刷が施されて折ユニットＦ２に導入されるウェブＷとは、その搬送速度Ｖ１，Ｖ２が異なるものの、ドラグローラ５２ａ，５２ｂ，５３ａ，５３ｂでガイドされ、三角板５４ａ，５４ｂにより縦折りが施されるとき、移動する各ウェブＷの位置が上下にずれることとなり、両ウェブＷが接触することはなく、この接触による損傷が抑制される。
【００６５】
その後、各折ユニットＦ１，Ｆ２にて、縦折りされたウェブＷが折胴５９ａ，５９ｂに至ると、所定の位置で、鋸胴６０ａ，６０ｂにより横裁断され、折胴５９ａ，５９ｂの周面から折ブレードが突出することで、ウェブＷを折胴５９ａ，５９ｂから一対の折込ローラ６１ａ，６１ｂに引き渡し、この折込ローラ６１ａ，６１ｂに挟持されることで折帳Ｓが形成される。そして、この折込ローラ６１ａ，６１ｂにより形成された折帳Ｓは、羽根車６２ａ，６２ｂの各羽根により順次受取られ、排紙コンベア６３ａ，６３ｂ上に受け渡す。このようにして２０頁の夕刊と８ページの別刷りを同時に、且つ、異なる速度で印刷することができる。
【００６６】
なお、本実施例の新聞用オフセット輪転印刷機であっても、従来の印刷機と同様に、５台の印刷ユニットＵ１〜Ｕ５を用いて印刷を行い、２台の折ユニットＦ１，Ｆ２を用いてそれぞれ２０頁の折帳を形成することができ、夕刊を朝刊の半分の時間で印刷することができる。
【００６７】
このように実施例１の印刷機及び印刷方法にあっては、新聞用オフセット輪転印刷機にて、印刷ユニットＵ１〜Ｕ６の各駆動モータ１７〜２２を印刷ユニットコントローラ７１〜７６により駆動制御可能とし、ウェブＷの縦裁断及び搬送経路を変更するターンバー装置Ｄをターンバーコントローラ７７により駆動制御可能とし、折機Ｆにおける折ユニットＦ１，Ｆ２の各駆動モータ４１，４２，４５，４６を折ユニットコントローラ７８，７９により駆動制御可能とし、全てのコントローラ７１〜７９を運転管理制御装置８０により制御可能とし、運転管理システム用操作パネル８１を用いて運転管理制御装置８０に対して操作指令を入力可能としている。
【００６８】
従って、オペレータは、運転管理システム用操作パネル８１を用いて、各印刷ユニットＵ１〜Ｕ６と各折ユニットＦ１，Ｆ２における組合せ、印刷速度（駆動速度）を操作指令として運転管理制御装置８０に対して入力すると、運転管理制御装置８０は、この操作指令に基づいて、印刷ユニットＵ１〜Ｕ６と折ユニットＦ１，Ｆ２との組合せ、つまり、ターンバー装置Ｄによる各印刷ユニットＵ１〜Ｕ６から各折ユニットＦ１，Ｆ２への送出経路を設定すると共に、印刷ユニットＵ１〜Ｕ６、インフィード装置Ｉ１〜Ｉ６、折ユニットＦ１，Ｆ２の駆動速度を設定することとなり、組み合わされた各ユニットごとに独立駆動となるため、各ユニットにて、異なる種類の印刷物を異なる印刷速度で同時に印刷することができ、その結果、作業効率を向上することができると共に、印刷準備作業時間を短縮して損紙を低減することで作業コストを低減することができる。また、折ユニットＦ１，Ｆ２を有する１つの折機Ｆにより異なる種類の印刷物を異なる印刷速度で同時に印刷することができる。また、２つの折機Ｆの三角板部を多段に配置する必要がないと共に、装置の大型化や建屋の高層化の必要もなく、更に、既存の建屋内における印刷機の交換に対しても容易に対応することができる。
【００６９】
この場合、運転管理制御装置８０は、各印刷ユニットＵ１〜Ｕ６と各折ユニットＦ１，Ｆ２における組合せ、その組合せに対する駆動速度Ｖ１，Ｖ２を複数の印刷パターンＩＤとして記憶し、オペレータは、運転管理システム用操作パネル８１を用いて所定の印刷パターンＩＤを選択することで、その印刷パターンＩＤに基づいて印刷ユニットＵ１〜Ｕ６、インフィード装置Ｉ１〜Ｉ６、ターンバー装置Ｄ、折ユニットＦ１，Ｆ２を自動的に制御するようにしている。
【００７０】
従って、オペレータが運転管理システム用操作パネル８１により印刷パターンＩＤを選択するだけで、印刷パターンＩＤに基づいて各印刷ユニットＵ１〜Ｕ６と各折ユニットＦ１，Ｆ２における組合せ、印刷ユニットＵ１〜Ｕ６から折ユニットＦ１，Ｆ２への送出経路、組み合わされたユニットごとの駆動速度が自動的に設定されることとなり、操作性を向上することができる。
【００７１】
また、各印刷ユニットＵ１〜Ｕ６から各折ユニットＦ１，Ｆ２への送出経路を設定するターンバー装置Ｄを設け、運転管理制御装置８０は、運転管理システム用操作パネル８１の操作指令に基づいてターンバー装置Ｄを制御しており、組み合わされた各ユニットにおける印刷ユニットＵ１〜Ｕ６から折ユニットＦ１，Ｆ２への送出経路が自動的に設定されることとなり、操作性を向上することができる。
【００７２】
また、本実施例の印刷機では、折機Ｆの各折ユニットＦ１，Ｆ２にて、隣り合うドラグローラ５２ａ，５３ａとドラグローラ５２ｂ，５３ｂを上下にずらして配置すると共に、隣り合う三角板５４ａ，５４ｂを上下にずらして配置している。従って、印刷ユニットＵ２〜Ｕ４で印刷が施されて折ユニットＦ１に導入されるウェブＷの搬送速度と、印刷ユニットＵ６で印刷が施されて折ユニットＦ２に導入されるウェブＷの搬送速度が相違しても、ドラグローラ５２ａ，５２ｂ，５３ａ，５３ｂでガイドされ、三角板５４ａ，５４ｂにより縦折りが施されるとき、移動する各ウェブＷの位置が上下にずれることとなり、両ウェブＷが接触することはなく、ウェブＷ同士の干渉が抑制され、ウェブＷの損傷を防止することができる。
【００７３】
この場合、折機Ｆの各折ユニットＦ１，Ｆ２にて、隣り合う各三角板５４ａ，５４ｂの下端部を縦折された折帳Ｓの幅方向にて同位置に配置している。従って、隣り合う各三角板５４ａ，５４ｂで縦折された折帳Ｓは、幅方向にてほぼ同位置に送出されることとなり、複数の折ユニットＦ１，Ｆ２における各折胴５９ａ，５９ｂ、各鋸胴６１ａ，６１ｂ、羽根車６２ａ，６２ｂ、排紙コンベア６３ａ，６３ｂの配置を簡素化することができる。
【００７４】
そして、本実施例では、２つの折ユニットＦ１，Ｆ２からなる折機Ｆを、建屋の３階に設置し、且つ、この３階のフロア面Ｇに対して、一方の折ユニットＦ１におけるドラグローラ５２ａ，５３ａ、三角板５４ａ、リードインローラ５５ａと、他方の折ユニットＦ２におけるドラグローラ５２ｂ，５３ｂ、三角板５４ｂ、リードインローラ５５ｂとが上下にずれて配置されている。そのため、一つの同じフロアに隣り合う２つの折ユニットＦ１，Ｆ２のドラグローラ５２ａ，５２ｂ，５３ａ，５３ｂ及び三角板５４ａ，５４ｂを少なくとも配置し、且つ、三角板５４ａ，５４ｂなどを上下にずらして配置することで、限られた建屋内で折機Ｆの設置スペースを拡大することなく、効率的に配置することができると共に、少なくとも隣り合う２つの折ユニットＦ１，Ｆ２のドラグローラ５２ａ，５２ｂ，５３ａ，５３ｂ及び三角板５４ａ，５４ｂが同一のフロアにあるため、紙通し作業や三角板５４ａ，５４ｂの調整作業等、オペレータによる操作やメンテナンスなどの各種作業を容易に行うことができ、作業性を向上することができる。
【実施例２】
【００７５】
図９は、本発明の実施例２に係る印刷機を表す概略構成図である。なお、前述した実施例で説明したものと同様の機能を有する部材には同一の符号を付して重複する説明は省略する。
【００７６】
実施例２の新聞用オフセット輪転印刷機において、図９に示すように、印刷ユニットＵ１〜Ｕ６にて、各駆動モータ１７〜２２がドライバ２３〜２８により駆動制御可能であり、インフィード装置Ｉ１〜Ｉ６にて、各駆動モータ２９〜３４がドライバ３５〜４０により駆動制御可能であり、ターンバー装置Ｄにて、ウェブＷの縦裁断及び搬送経路の変更が可能であり、折機Ｆの折ユニットＦ１，Ｆ２にて、各駆動モータ４１，４２がドライバ４３，４４により駆動制御可能であると共に、各駆動モータ４５，４６がドライバ４７，４８により駆動制御可能となっている。
【００７７】
そして、印刷ユニットＵ１〜Ｕ６及びインフィード装置Ｉ１〜Ｉ６の各ドライバ２３〜２８，３５〜４０は、印刷ユニットコントローラ７１〜７６により駆動制御可能であり、ターンバー装置Ｄは、ターンバーコントローラ７７により駆動制御可能であり、折機Ｆにおける折ユニットＦ１，Ｆ２のドライバ４３，４４，４７，４８は、折ユニットコントローラ７８，７９により駆動制御可能となっている。そして、全てのコントローラ７１〜７９は、運転管理制御装置８５により制御可能であり、オペレータは、運転管理システム用操作パネル８１を用いて運転管理制御装置８５に対して操作指令を入力することで、新聞用オフセット輪転印刷機による印刷作業を制御可能となっている。
【００７８】
即ち、オペレータは、運転管理システム用操作パネル８１を用いて、各印刷ユニットＵ１〜Ｕ６と各折ユニットＦ１，Ｆ２における組合せ、印刷速度（駆動速度）を操作指令として運転管理制御装置８５に対して入力可能である。運転管理制御装置８５は、この操作指令に基づいて、印刷ユニットＵ１〜Ｕ６と折ユニットＦ１，Ｆ２との組合せ、つまり、ターンバー装置Ｄによる各印刷ユニットＵ１〜Ｕ６から各折ユニットＦ１，Ｆ２への送出経路を設定すると共に、印刷ユニットＵ１〜Ｕ６、インフィード装置Ｉ１〜Ｉ６、折ユニットＦ１，Ｆ２の駆動速度を設定する。
【００７９】
この場合、運転管理制御装置８５は、各印刷ユニットＵ１〜Ｕ６と各折ユニットＦ１，Ｆ２との組合せ、その組合せに対する駆動速度Ｖ１，Ｖ２を複数の印刷パターンＩＤとして記憶する複数（本実施例では、２つ）の駆動制御部８６，８７を有しており、オペレータは、運転管理システム用操作パネル８１を用いて所定の印刷パターンＩＤを選択することで、各駆動制御部８６，８７が、その印刷パターンＩＤに基づいて印刷ユニットＵ１〜Ｕ６、インフィード装置Ｉ１〜Ｉ６、ターンバー装置Ｄ、折ユニットＦ１，Ｆ２を自動的に制御することができる。
【００８０】
具体的には、例えば、オペレータは、運転管理システム用操作パネル８１を用いて、２つの印刷パターンＩＤを選択して入力すると、運転管理制御装置８５の各駆動制御部８６，８７は、この２つの印刷パターンＩＤを制御リンクに出力する。すると、２つの印刷パターンＩＤに該当するコントローラがこの印刷パターンＩＤを取り込む。そして、印刷パターンＩＤを取り込んだコントローラは、印刷ユニットＵ１〜Ｕ６及びインフィード装置Ｉ１〜Ｉ６の駆動速度をＶ１，Ｖ２に制御すると共に、折ユニットＦ１，Ｆ２の駆動速度をＶ１，Ｖ２に制御し、印刷ユニットＵ１〜Ｕ６から送出されたウェブＷの搬送経路を折ユニットＦ１，Ｆ２に変更する。
【００８１】
このように実施例２の印刷機及び印刷方法にあっては、運転管理制御装置８５に、各印刷ユニットＵ１〜Ｕ６と各折ユニットＦ１，Ｆ２との組合せ、その組合せに対する駆動速度Ｖ１，Ｖ２を複数の印刷パターンＩＤとして記憶する２つの駆動制御部８６，８７を設け、運転管理システム用操作パネル８１を用いて所定の印刷パターンＩＤを選択することで、各駆動制御部８６，８７がその印刷パターンＩＤに基づいて印刷ユニットＵ１〜Ｕ６、インフィード装置Ｉ１〜Ｉ６、ターンバー装置Ｄ、折ユニットＦ１，Ｆ２を自動的に制御するようにしている。
【００８２】
従って、オペレータが運転管理システム用操作パネル８１により印刷パターンＩＤを選択するだけで、印刷パターンＩＤに基づいて各印刷ユニットＵ１〜Ｕ６と各折ユニットＦ１，Ｆ２における組合せ、印刷ユニットＵ１〜Ｕ６から折ユニットＦ１，Ｆ２への送出経路、組み合わされたユニットごとの駆動速度が自動的に設定されることとなり、操作性を向上することができる。
【実施例３】
【００８３】
図１０は、本発明の実施例３に係る印刷機を表す概略構成図である。なお、前述した実施例で説明したものと同様の機能を有する部材には同一の符号を付して重複する説明は省略する。
【００８４】
実施例３の新聞用オフセット輪転印刷機は、図１０に示すように、６台の給紙装置Ｒ１〜Ｒ６と、６台の印刷ユニットＵ１〜Ｕ６と、ターンバー装置Ｄと、２個の折ユニットＦ１，Ｆ２を有する折機Ｆと、印刷ユニットＵ６とターンバー装置Ｄとの間に設けられたドライヤ／クリーニング装置９１とから構成されている。
【００８５】
従って、実施例３の新聞用オフセット輪転印刷機を用いて８頁の別刷り（例えば、グラビア）を印刷する場合、オペレータは、運転管理システム用操作パネル８１を用いて、印刷パターンＩＤ１０３（Ｕ６：Ｆ２：Ｖ２）を選択して入力する。すると、運転管理制御装置８０は、この印刷パターンＩＤ１０３を制御リンクに出力すると、該当するコントローラ、つまり、印刷ユニットコントローラ７６とターンバーコントローラ７７と折ユニットコントローラ７９がこの印刷パターンＩＤ１０３を取り込む。そして、印刷ユニットコントローラ７６は、印刷ユニットＵ６及びインフィード装置Ｉ６の駆動速度をＶ１に制御し、折ユニットコントローラ７９は、折ユニットＦ２の駆動速度をＶ２に制御する。そして、ターンバーコントローラ７７は、印刷ユニットＵ６から送出されたウェブＷの搬送経路を折ユニットＦ２に変更する。
【００８６】
そのため、給紙装置Ｒ６から印刷ユニットＵ６にウェブＷが供給されると、印刷ユニットＵ６では、ウェブＷに対して４色刷が行われ、印刷ユニットＵ６で印刷が施されたウェブＷは、ドライヤ／クリーニング装置９１によりインキが乾燥されると共に冷却された後、ターンバー装置Ｄにて、縦裁断が行われて搬送経路が変更されると共に所定の順番に重ね合わせられる。そして、このウェブＷは、折機Ｆにおける他方の折ユニットＦ２に導入され、縦折りが施された後に横裁断され、更に、横折されることで折帳Ｓ形成されて排紙され。このようにして８ページの別刷りを印刷することができる。
【００８７】
このように実施例３の印刷機及び印刷方法にあっては、給紙装置Ｒ１〜Ｒ６と印刷ユニットＵ１〜Ｕ６とターンバー装置Ｄと折ユニットＦ１，Ｆ２を有する折機Ｆとを設けると共に、印刷ユニットＵ６とターンバー装置Ｄとの間にドライヤ／クリーニング装置９１を設けている。
【００８８】
従って、印刷ユニットＵ６とドライヤ／クリーニング装置９１を用いて商業印刷（グラビア印刷など）を実施することができ、印刷機の汎用性を拡大することができる。
【実施例４】
【００８９】
図１１は、本発明の実施例４に係る印刷機における折機の折ユニットを表す正面図、図１２は、実施例４の印刷機における折機の折ユニットを表す側面図である。なお、本実施例の印刷機及び印刷方法における全体構成は、上述した実施例１とほぼ同様であり、図１及び図２を用いて説明すると共に、この実施例で説明したものと同様の機能を有する部材には同一の符号を付して重複する説明は省略する。
【００９０】
実施例４の新聞用オフセット輪転印刷機は、図１に示すように、６台の給紙装置Ｒ１〜Ｒ６と、６台の印刷ユニットＵ１〜Ｕ６と、ターンバー装置Ｄと、２個の折ユニットＦ１，Ｆ２を有する折機Ｆとから構成されている。そして、印刷ユニットＵ１〜Ｕ６にて、各駆動モータ１７〜２２がドライバ２３〜２８により駆動制御可能であり、インフィード装置Ｉ１〜Ｉ６にて、各駆動モータ２９〜３４がドライバ３５〜４０により駆動制御可能であり、ターンバー装置Ｄにて、ウェブＷの縦裁断及び搬送経路の変更が可能であり、折機Ｆの折ユニットＦ１，Ｆ２にて、各駆動モータ４１，４２がドライバ４３，４４により駆動制御可能であると共に、各駆動モータ４５，４６がドライバ４７，４８により駆動制御可能となっている。
【００９１】
また、印刷ユニットＵ１〜Ｕ６及びインフィード装置Ｉ１〜Ｉ６の各ドライバ２３〜２８，３５〜４０は、印刷ユニットコントローラ７１〜７６により駆動制御可能であり、ターンバー装置Ｄは、ターンバーコントローラ７７により駆動制御可能であり、折機Ｆにおける折ユニットＦ１，Ｆ２のドライバ４３，４４，４７，４８は、折ユニットコントローラ７８，７９により駆動制御可能となっている。そして、全てのコントローラ７１〜７９は、運転管理制御装置８０により制御可能であり、オペレータは、運転管理システム用操作パネル８１を用いて運転管理制御装置８０に対して操作指令を入力することで、新聞用オフセット輪転印刷機による印刷作業を制御可能となっている。
【００９２】
そして、本実施例の折機Ｆでは、図２、図１１及び図１２に示すように、２つの折ユニットＦ１１，Ｆ１２がほぼ左右対称に載置されるものの、隣り合うドラグローラ１０１ａ，１０２ａとドラグローラ１０１ｂ，１０２ｂとが上下にずれて配置され、隣り合う三角板１０３ａ，１０３ｂは、その全長が異なり、上端部が上下にずれて配置される一方、下端部が上下方向にて同位置（高さ）に配置される。この場合、各三角板１０３ａ，１０３ｂは、その下端部が縦折された折帳Ｓの幅方向（図１２にて、左右方向）にて同位置に配置されている。
【００９３】
具体的に説明すると、図１１及び図１２に示すように、折ユニットＦ１１にて、ドラグローラ１０１ａ，１０２ａの上面は、フロア面Ｇから所定の高さ位置ｈ1a，ｈ2aの高さに配置される一方、ユニットＦ１２にて、ドラグローラ１０１ｂ，１０２ｂの上面は、フロア面Ｇから所定の高さ位置ｈ1b，ｈ2bの高さに配置されており、折ユニットＦ１１の高さｈ1a，ｈ2aに対して、ユニットＦ１２の高さ位置ｈ1b，ｈ2bが所定の高さｈ1，ｈ2だけ高く配置されている。この場合、ドラグローラ１０１ａ，１０２ａとドラグローラ１０１ｂ，１０２ｂの径はほぼ同様に構成されることから、ドラグローラ１０１ａ，１０２ａによるウェブＷの搬送位置とドラグローラ１０１ｂ，１０２ｂによるウェブＷの搬送位置とが上下にずれ、折ユニットＦ１，Ｆ２にて搬送されるウェブＷが干渉しないようになっている。なお、所定の高さｈ1，ｈ2は、ｈ1＝ｈ2である。
【００９４】
ここで、実施例４における折機Ｆの各パーツと建屋との関係について説明する。実施例１と同様に２階、３階に折機Ｆが配置されており、ここで説明するフロア面Ｇは３階のフロア面である。即ち、建屋の３階には、図１１及び図１２に示すように、三角板部のうちリードインローラ５５ａ，５５ｂ、三角板５４ａ，５４ｂ、ドラグローラ５２ａ，５２ｂ，５３ａ，５３ｂが設置されている。このように、隣り合う三角板部を同フロアに設置することにより、省スペース化を図りつつ従来と同様に紙通しや三角板の調整等の作業効率を維持することができるためである。なお、三角板部全体を同一フロアに配置しても良いが、三角板部のうち少なくともリードインローラ５５ａ，５５ｂと、三角板５４ａ，５４ｂと、三角板５４ａ，５４ｂの直前のドラグローラ５２ａ，５２ｂとを、同一フロアに配置することが好ましい。
【００９５】
そして、各折ユニットＦ１１，Ｆ１２にて、各ドラグローラ１０２ａ，１０２ｂに対して各三角板１０３ａ，１０３ｂが配置されており、この各三角板１０３ａ，１０３ｂは、その全長が相違している。つまり、折ユニットＦ１１の三角板１０３ａは、ドラグローラ１０２ａとフロア面Ｇとの間に配置され、下端部の縦折角度α1に設定されると共に、配置傾斜角度β1に設定されている。一方、折ユニットＦ１２の三角板１０３ｂは、ドラグローラ１０２ｂとフロア面Ｇとの間に配置され、下端部の縦折角度α2に設定されると共に、配置傾斜角度β2に設定されている。そして、各三角板１０３ａ，１０３ｂの縦折角度α1，α2と配置傾斜角度度β1，β2の関係は、α1＞α2、β1＜β2に設定されている。そのため、各折ユニットＦ１１，Ｆ１２では、実施例１のように、図３に示す補助台６４を設ける必要がなくなる。この場合、三角板１０３ａ，１０３ｂの全長が相違するように構成されることから、三角板１０３ａ，１０３ｂの上端部の位置が上下にずれることで、三角板１０３ａによるウェブＷの搬送位置と三角板１０３ｂによるウェブＷの搬送位置とが上下にずれ、折ユニットＦ１，Ｆ２にて搬送されるウェブＷが干渉しないようになっている。
【００９６】
従って、各折ユニットＦ１１，Ｆ１２にて、隣り合うドラグローラ１０１ａ，１０２ａとドラグローラ１０１ｂ，１０２ｂが上下にずれて配置されると共に、隣り合う三角板１０３ａ，１０３ｂの各三角板１０３ａ，１０３ｂの縦折角度α1，α2及び配置傾斜角度度β1，β2が相違するように配置されている。従って、例えば、印刷ユニットＵ２〜Ｕ４で印刷が施されて折ユニットＦ１１に導入されるウェブＷと、印刷ユニットＵ６で印刷が施されて折ユニットＦ１２に導入されるウェブＷとは、その搬送速度Ｖ１，Ｖ２が異なるものの、ドラグローラ１０１ａ，１０１ｂ，１０２ａ，１０２ｂでガイドされ、三角板１０３ａ，１０３ｂにより縦折りが施されるとき、移動する各ウェブＷの位置が上下にずれることとなり、両ウェブＷが接触することはなく、この接触による損傷が抑制される。
【００９７】
このように実施例４の印刷機及び印刷方法にあっては、新聞用オフセット輪転印刷機の折機Ｆの各折ユニットＦ１１，Ｆ１２の三角板部にて、隣り合うドラグローラ１０１ａ，１０２ａとドラグローラ１０１ｂ，１０２ｂを上下にずらして配置すると共に、隣り合う三角板１０３ａ，１０３ｂの全長を異ならせ、下端部を上下方向にて同位置（高さ）に配置している。
【００９８】
従って、折ユニットＦ１１に導入されるウェブＷの搬送速度と、折ユニットＦ１２に導入されるウェブＷの搬送速度が相違しても、ドラグローラ１０１ａ，１０１ｂ，１０２ａ，１０２ｂでガイドされ、三角板１０３ａ，１０３ｂにより縦折りが施されるとき、移動する各ウェブＷの位置が上下にずれることとなり、両ウェブＷが接触することはなく、ウェブＷ同士の干渉が抑制され、ウェブＷの損傷を防止することができる。
【００９９】
この場合、折機Ｆの各折ユニットＦ１１，Ｆ１２にて、隣り合う各三角板１０３ａ，１０３ｂの下端部の位置を上下方向及び縦折された折帳Ｓの幅方向にて同位置に配置している。従って、隣り合う各三角板１０３ａ，１０３ｂで縦折された折帳Ｓは、高さ方向及び幅方向にてほぼ同位置に送出されることとなり、複数の折ユニットＦ１１，Ｆ１２における各折胴５９ａ，５９ｂ、各鋸胴６１ａ，６１ｂ、羽根車６２ａ，６２ｂ、排紙コンベア６３ａ，６３ｂの配置を簡素化することができる。
【実施例５】
【０１００】
図１３は、本発明の実施例５に係る印刷機における折機の折ユニットを表す正面図である。なお、前述した実施例で説明したものと同様の機能を有する部材には同一の符号を付して重複する説明は省略する。
【０１０１】
実施例５の新聞用オフセット輪転印刷機における折機Ｆにおいて、図１３に示すように、各折ユニットＦ２１，Ｆ２２は、ほぼ左右対称に配置されている。即ち、最上部には、ウェブＷを搬入するドラグローラ２０１ａ，２０１ｂが設けられると共に、三角板２０２ａ，２０２ｂが設けられている。そして、この三角板２０２ａ，２０２ｂの下方には、リードインローラ２０３ａ，２０３ｂ、ニッピングローラ２０４ａ，２０４ｂ、ガイドローラ２０５ａ，２０５ｂ、ニッピングローラ２０６ａ，２０６ｂが設けられている。ニッピングローラ２０６ａ，２０６ｂの下方には、折胴２０７ａ，２０７ｂと、縦折りされたウェブＷを横裁断する鋸胴２０８ａ，２０８ｂが対向して配設されると共に、折胴２０７ａ，２０７ｂに対向して横裁断された折張を咥えて搬送する咥胴２０９ａ，２０９ｂが配設されている。そして、咥胴２０９ａ，２０９ｂの下方には、羽根車２１０ａ，２１０ｂが設けられると共に、この羽根車２１０ａ，２１０ｂの下方には、排紙コンベア２１１ａ，２１１ｂが設けられている。即ち、鋸胴２０８ａ，２０８ｂで切断されたウェブＷは、折胴２０７ａ，２０７ｂに巻かれながらブレードが突出し、ブレードにより突出されたウェブＷは咥胴２０９ａ，２０９ｂの咥部で咥えて折れ線部を形成し、出来上がった折張を咥胴２０９ａ，２０９ｂが保持しながら、羽根車２１０ａ，２１０ｂへと搬送される。
【０１０２】
そして、本実施例の折機Ｆでは、上述したように、２つの折ユニットＦ２１，Ｆ２２がほぼ左右対称に載置されるものの、隣り合うドラグローラ２０１ａとドラグローラ２０１ｂとが上下にずれて配置されると共に、隣り合う三角板２０２ａ，２０２ｂが上下にずれて配置されている。即ち、ドラグローラ２０１ａの上面よりドラグローラ２０１ｂの上面が上方に位置し、三角板２０２ａの上部より三角板２０２ｂの上部が上方に位置することで、折ユニットＦ２１，Ｆ２２にて搬送されるウェブＷが干渉しないようになっている。
【０１０３】
この場合、折機Ｆは、建屋の２階、３階に配置されており、建屋の２階には、紙コンベア２１１ａ，２１１ｂ、羽根車２１０ａ，２１０ｂ、咥胴２０９ａ，２０９ｂ、鋸胴２０８ａ，２０８ｂ、折胴２０７ａ，２０７ｂ、ニッピングローラ２０６ａ，２０６ｂ、ガイドローラ２０５ａ，２０５ｂ、ニッピングローラ２０４ａ，２０４ｂが設置され、３階には、三角板部のうちリードインローラ２０３ａ，２０３ｂ、三角板２０２ａ，２０２ｂ、ドラグローラ２０１ａ，２０１ｂが設置されている。
【０１０４】
このように実施例５の印刷機及び印刷方法にあっては、新聞用オフセット輪転印刷機の折機Ｆの各折ユニットＦ２１，Ｆ２２の三角板部にて、隣り合うドラグローラ２０１ａ，２０１ｂの上面を上下にずらして配置すると共に、隣り合う三角板２０２ａ，２０２ｂの上端部を上下にずらして配置している。
【０１０５】
従って、折ユニットＦ２１に導入されるウェブＷの搬送速度と、折ユニットＦ２２に導入されるウェブＷの搬送速度が相違しても、ドラグローラ２０１ａ，２０１ｂでガイドされ、三角板２０２ａ，２０２ｂにより縦折りが施されるとき、移動する各ウェブＷの位置が上下にずれることとなり、両ウェブＷが接触することはなく、ウェブＷ同士の干渉が抑制され、ウェブＷの損傷を防止することができる。
【０１０６】
また、折機Ｆの各折ユニットＦ１１，Ｆ１２を、ドラグローラ２０１ａ，２０１ｂ、三角板２０２ａ，２０２ｂ、リードインローラ２０３ａ，２０３ｂ、ニッピングローラ２０４ａ，２０４ｂ、ガイドローラ２０５ａ，２０５ｂ、ニッピングローラ２０６ａ，２０６ｂに加え、折胴２０７ａ，２０７ｂ、鋸胴２０８ａ，２０８ｂ、咥胴２０９ａ，２０９ｂ、羽根車２１０ａ，２１０ｂ、排紙コンベア２１１ａ，２１１ｂにより構成している。従って、新聞印刷と折精度を要求される商業系(フリーペーパ、タウン誌、チラシ類)印刷が可能となり、多媒体印刷をより効率良く実施することができる。
【０１０７】
なお、上述した各実施例では、折機Ｆの各折ユニットＦ１，Ｆ２，Ｆ１１，Ｆ１２の三角板部にて、一つのフロアに高さのずれた一組のドラグローラ及び三角板を配置したが、上下二組のドラグローラ及び三角板を配置してもよい。この場合、上段側の左右のドラグローラ及び三角板折の一方側で新聞の本紙を縦折し、他方側でセクション紙を縦折した後、下段側の左右のドラグローラ及び三角板を通さずに重ねてから、横裁断及び横折することで、本紙にセクション紙を重ねて折り込んだ新聞を構成することができる。
【０１０８】
また、上述した各実施例で説明した新聞用オフセット輪転印刷機では、複数の折ユニットＦ１，Ｆ２を有する折機Ｆとして説明したが、複数の折機の三角板部として構成してもよい。この場合、ドラグローラ、三角板、リードインローラを同一フロアに設置し、それぞれ上下にずらして配置すればよい。
【０１０９】
また、上述した各実施例では、６台の給紙装置Ｒ１〜Ｒ６と、６台の印刷ユニットＵ１〜Ｕ６と、ターンバー装置Ｄと、２個の折ユニットＦ１，Ｆ２を有する折機Ｆとから新聞用オフセット輪転印刷機を構成したが、本発明の印刷機はこの構成に限定されるものではなく、２台以上の給紙装置と、２台以上の印刷ユニットと、ターンバー装置と、２個以上の折ユニットを有する折機とからなる印刷機であればよく、実際に使用する印刷物に応じて適宜設定すればよいものである。
【０１１０】
また、本発明の印刷機及び印刷方法は、操作装置が、複数の印刷ユニットと複数の折ユニットにおける組合せ指令及び速度指令を操作指令として制御装置に対して入力可能とするものである。そのため、上述した各実施例のように、各印刷ユニットＵ１〜Ｕ６と各折ユニットＦ１，Ｆ２における組合せ、その組合せに対する駆動速度Ｖ１，Ｖ２を複数の印刷パターンＩＤとして記憶し、オペレータが所定の印刷パターンＩＤを選択することができる。また、各折ユニットＦ１，Ｆ２ごとに所定の駆動速度Ｖ１，Ｖ２を設定しておき、オペレータが速度指令を含めた組合せ指令を操作指令として制御装置に対して入力可能としてもよい。この場合、各印刷ユニットＵ１〜Ｕ６及び各折ユニットＦ１，Ｆ２には駆動速度の微調整機構が設けられており、オペレータは、印刷物の品質を確認しながら駆動速度を微調整すればよい。更に、操作装置により複数の印刷ユニットと複数の折ユニットにおける組合せ及び駆動速度を操作指令として制御装置に対して直接入力可能としてもよい。
【産業上の利用可能性】
【０１１１】
本発明に係る印刷機及び印刷方法は、異なる種類の印刷物を同時に印刷可能とすることで作業効率の向上を図ると共に損紙を低減して作業コストの低減を図るものであり、いずれの印刷機にも適用することができる。
【図面の簡単な説明】
【０１１２】
【図１】本発明の実施例１に係る印刷機を表す概略構成図である。
【図２】実施例１の印刷機における折機の概略構成図である。
【図３】実施例１の印刷機における折機の折ユニットを表す正面図である。
【図４】実施例１の印刷機における折機の折ユニットを表す側面図である。
【図５】実施例１の印刷機における折機の折ユニットを表す斜視図である。
【図６】実施例１の印刷機による朝刊及び別刷りの印刷工程を表す概略図である。
【図７】実施例１の印刷機による夕刊及び別刷りの印刷工程を表す概略図である。
【図８】実施例１の印刷機による朝刊と夕刊と別刷りの印刷作業を表すタイムチャートである。
【図９】本発明の実施例２に係る印刷機を表す概略構成図である。
【図１０】本発明の実施例３に係る印刷機を表す概略構成図である。
【図１１】本発明の実施例４に係る印刷機における折機の折ユニットを表す正面図である。
【図１２】実施例４の印刷機における折機の折ユニットを表す側面図である。
【図１３】実施例５の印刷機における折機の折ユニットを表す側面図である。
【符号の説明】
【０１１３】
Ｒ１〜Ｒ６  給紙装置
Ｕ１〜Ｕ６  印刷ユニット
Ｄ  ターンバー装置
Ｆ１，Ｆ２，Ｆ１１，Ｆ１２  折ユニット
Ｆ  折機
Ｉ１〜Ｉ６  インフィード装置
１７〜２２  駆動モータ
２９〜３４  駆動モータ
４１，４２，４５，４６  駆動モータ
５１  ガイドローラ
５２ａ，５２ｂ，５３ａ，５３ｂ，１０１ａ，１０１ｂ，１０２ａ，１０２ｂ，２０１ａ，２０１ｂ  ドラグローラ
５４ａ，５４ｂ，１０３ａ，１０３ｂ，２０２ａ，２０２ｂ  三角板
７１〜７６  印刷ユニットコントローラ
７７  ターンバーコントローラ
７８，７９  折ユニットコントローラ
８０、８５  運転管理制御装置（制御装置）
８１  運転管理システム用操作パネル（操作装置）
８６，８７  駆動制御部
９１  ドライヤ／クリーニング装置
Ｗ  ウェブ
Ｓ  折帳
【図１】
2008201049.tif 000003
【図２】
2008201049.tif 000004
【図３】
2008201049.tif 000005
【図４】
2008201049.tif 000006
【図５】
2008201049.tif 000007
【図６】
2008201049.tif 000008
【図７】
2008201049.tif 000009
【図８】
2008201049.tif 000010
【図９】
2008201049.tif 000011
【図１０】
2008201049.tif 000012
【図１１】
2008201049.tif 000013
【図１２】
2008201049.tif 000014
【図１３】
2008201049.tif 000015